(57)【特許請求の範囲】
【請求項１】
供給皿を突設してなる中扉が、遊技機前面に片開き自在で取り付けられているとともに、遊技に関する効果音等を発するスピーカが、前記中扉の内部に取り付けられる機能部材に設置された遊技機であって、
前記スピーカが、扁平な枠体を前面に有するものである一方、
前記機能部材が、前記枠体の面内方向の動きを規制し前記枠体の第一の面を押止する第一取付手段、及び弾性により前記枠体の第二の面と係合離脱自在な第二取付手段を備えているとともに後方へ突起体を突設してなる箱体と、前面に環状突起を有し、前記箱体の前面を覆うパネルとを備えたものであり、
前記スピーカを、前記第一取付手段と前記第二取付手段とによって挟持した状態で前記箱体に設置する一方、前記機能部材を、前記パネルの環状突起を前記中扉の前面カバーに穿設された第一係合孔に嵌入させるとともに、前記突起体を前記供給皿から下方へ突設された鉛直板に穿設されている第二係合孔に嵌入させることによって、前記中扉の内部に取り付けることを特徴とする遊技機。
【請求項２】
第一取付手段が、複数の位置決めピンを有しており、その位置決めピンを、スピーカの枠体に穿設された位置決め孔に挿通させることによって、枠体の面内方向の動きを規制するものであることを特徴とする請求項１に記載の遊技機。
【請求項３】
第一取付手段が、複数の壁体を有しており、それらの壁体を、スピーカの枠体に対して垂直に対峙させることによって、枠体の面内方向の動きを規制するものであることを特徴とする請求項１に記載の遊技機。
【請求項４】
第一の取付手段が、第一の面を押止する方形状の支持面を有するとともに、該支持面の二辺から前方へ突出するような断面Ｌ字状の壁体を備えてなることを特徴とする請求項３に記載の遊技機。
【発明の詳細な説明】
【０００１】
【発明の属する技術分野】
本発明は、パチンコ機、スロットマシーン等の遊技機に関するものである。
【０００２】
【従来の技術】
通常のパチンコ機は、スピーカを内蔵しており、そのスピーカが、遊技内容に関連して、所定の効果音を発生させるようになっている。また、スピーカの取付方法としては、スピーカをネジによって機台内部のフレームに螺着する方法や、スピーカ内部の磁石によって機台内部の金属製フレームに固着する方法が知られている。
【０００３】
【発明が解決しようとする課題】
しかしながら、スピーカをネジによって機台内部のフレームに螺着したパチンコ機は、スピーカの取り付け、取り外しにネジ回しが必要であるため、製造やメンテナンスが面倒である。一方、スピーカ内部の磁石によってスピーカを機台内部の金属製フレームに固着したパチンコ機は、スピーカの取り付け、取り外しが容易であるものの、スピーカの取付位置がずれ易く、良好な音響効果が得られない。また、衝撃によりスピーカが外れて損傷してしまうこともある。
【０００４】
本発明の目的は、上記従来のパチンコ機が有する問題点を解消し、スピーカの取り付け、取り外しが容易で、音響効果が良好な遊技機を提供することにある。
【０００５】
【課題を解決するための手段】
かかる本発明の構成のうち、請求項１に記載された発明の構成は、供給皿を突設してなる中扉が、遊技機前面に片開き自在で取り付けられているとともに、遊技に関する効果音等を発するスピーカが、前記中扉の内部に取り付けられる機能部材に設置された遊技機であって、前記スピーカが、扁平な枠体を前面に有するものである一方、前記機能部材が、前記枠体の面内方向の動きを規制し前記枠体の第一の面を押止する第一取付手段、及び弾性により前記枠体の第二の面と係合離脱自在な第二取付手段を備えているとともに後方へ突起体を突設してなる箱体と、前面に環状突起を有し、前記箱体の前面を覆うパネルとを備えたものであり、前記スピーカを、前記第一取付手段と前記第二取付手段とによって挟持した状態で前記箱体に設置する一方、前記機能部材を、前記パネルの環状突起を前記中扉の前面カバーに穿設された第一係合孔に嵌入させるとともに、前記突起体を前記供給皿から下方へ突設された鉛直板に穿設されている第二係合孔に嵌入させることによって、前記中扉の内部に取り付けることにある。なお、枠体の第一の面とは、枠体の表面あるいは裏面のことであり、第二の面とは、第一の面以外の面（すなわち、第一の面が表面である場合には裏面、第一の面が裏面である場合には表面）のことである。
請求項２に記載された発明の構成は、請求項１に記載された発明において、第一取付手段が、複数の位置決めピンを有しており、その位置決めピンを、スピーカの枠体に穿設された位置決め孔に挿通させることによって、枠体の面内方向の動きを規制するものであることにある。
請求項３に記載された発明の構成は、請求項１に記載された発明において、第一取付手段が、複数の壁体を有しており、それらの壁体を、スピーカの枠体に対して垂直に対峙させることによって、枠体の面内方向の動きを規制するものであることにある。
請求項４に記載された発明の構成は、請求項３に記載された発明において、第一の取付手段が、第一の面を押止する方形状の支持面を有するとともに、該支持面の二辺から前方へ突出するような断面Ｌ字状の壁体を備えてなることにある。
【０００６】
【発明の実施の形態】
以下、本発明の遊技機の一実施形態であるパチンコ機を、図面に基づいて詳細に説明する。
【０００７】
［実施例１］
図１は、パチンコ機の正面を示したものであり、パチンコ機１ａは、前面の中央のやや下側に、供給皿２を突設した中扉３が、左端縁を中心として片開き自在に取り付けられている。図２は、中扉３を分解して示したものであり、中扉３は、合成樹脂製の扉部材４、供給皿２、前面カバー６等によって、組み立て形成されている。また、中扉３の内部には、箱体９ａ、スイッチ１０、押ボタン１１、パネル１２、スピーカ８等からなる機能部材７が設置されており、箱体９ａの前面にスピーカ８が取り付けられた状態になっている。
【０００８】
図３は、スピーカ８の取付部分を示したものである。箱体９ａは幅広な長方形状の基板１３の周囲に壁体１４を垂設した形状を有している。そして、基板１３の右側には、開口部１５が穿設されており、その開口部１５の周囲には、上下に２個ずつ、第一取付手段である支持手段１６，１６・・が、一体的に立設されている。図４は、支持手段１６を示したものであり、支持手段１６は、基板１３から所定の距離を隔てた位置に基板１３と平行な支持面１７を有しており、その支持面１７から前方へ突出するように、位置決めピン１８が設けられている。また、図３の如く、箱体９ａは、左側の上下一対の支持手段１６，１６の間、右側の上下一対の支持手段１６，１６の間に、それぞれ、第二取付手段である係合手段１９，１９が突設されている。そして、それらの係合手段１９，１９の先端には、それぞれ、矢尻状の係合突起２０が内側に突出するように設けられている。各係合手段１９，１９は、合成樹脂が有する弾性によって、先端を左右の方向に動かす（左右に押し広げる）ことができるようになっている。
【０００９】
一方、スピーカ８の前面には、長方形で扁平な枠体２１が取り付けられており、その枠体２１の四隅には、位置決め孔２２，２２・・が穿設されている。そして、スピーカ８は、図３（ｂ），（ｃ）の如く、各位置決め孔２２，２２・・に、各位置決めピン１８，１８・・を挿通させ、枠体２１裏面の位置決め孔２２，２２・・穿設際を各支持面１７，１７・・に当接させ、枠体２１表面の左右端縁際を各係合手段１９，１９に係合させて（係合手段１９，１９の係合突起２０，２０に係合させて）、各支持面１７，１７・・と係合手段１９，１９とによって挟持された状態（図３（ｃ）参照）で、箱体９ａに取り付けられている。
【００１０】
なお、中扉３は、前面カバー６のエプロン部５の上端際に、供給皿２の水平部分を嵌入固定し、前面カバー６と供給皿２とを一体化し、供給皿２の鉛直板２６を扉部材４に当接させて、扉部材４と前面カバー６とを合着することにより、前面カバー６、供給皿２、扉部材４を一体化することによって、組み立てられている。また、機能部材７は、パネル１２の前面に設けられた３つの環状突起２７，２７・・を、前面カバー６に穿設された３つの係合孔２８，２８・・に嵌入し、後方に突設された突起体２９を供給皿２の鉛直板２６に穿設された係合孔（図示せず）に嵌入することによって、中扉３の内部に取り付けられている。
【００１１】
パチンコ機１ａは、上記の如く、スピーカ８が、扁平な枠体２１を前面に有するものであるとともに、そのスピーカ８が、枠体２１の面内方向の動きを規制し枠体２１の裏面を押止する支持手段１６，１６・・（第一取付手段）と、弾性により枠体２１の表面と係合脱離自在な係合手段１９，１９（第二取付手段）とによって挟持された状態で取り付けられるため、製造時には、スピーカ８の位置決め孔２２，２２・・を箱体９ａの位置決めピン１８，１８・・に合致させ、スピーカ８を押し込んで、枠体２１表面の左右端縁際を各係合手段１９，１９・・に係合させるだけで、スピーカ８を簡単に取り付けることができる。また、スピーカ８が故障した場合等には、係合手段１９，１９の弾性を利用して係合手段１９，１９と枠体２１との係合を解除するだけで、スピーカ８を簡単に取り外すことができる。
【００１２】
また、パチンコ機１ａは、支持手段１６，１６・・が、複数の位置決めピン１８，１８・・を有しており、その位置決めピン１８，１８・・を、スピーカ８の枠体２１に穿設された位置決め孔２２，２２・・に挿通させることによって、枠体２１の面内方向の動きを規制するものであるため、スピーカ８の取付位置がずれないので、効果音がきわめて良好である。その上、振動による衝撃がスピーカ８に伝わりにくいので、スピーカ８が故障しにくい。
【００１３】
［実施例２］
実施例２のパチンコ機１ｂの構成は、スピーカ８を取り付ける箱体の構造が、実施例１のパチンコ機１ａと異なっている。図５は、実施例２のパチンコ機１ｂの箱体９ｂを示したものであり、箱体９ｂは、基板１３の右側の開口部１５の周囲に、上下に２個ずつ、第一取付手段である支持手段２３，２３・・が立設されている。図６は、支持手段２３を示したものであり、各支持手段２３，２３・・は、基板１３から所定の距離を隔てた位置に基板１３と平行な正方形状の支持面２４を有しており、その支持面２４の外側の二辺から前方に突出するように、断面Ｌ字状の壁体２５が一体的に延設されている。なお、図５の如く、箱体９ｂは、左側の上下一対の支持手段２３，２３の間、右側の上下一対の支持手段２３，２３の間に、実施例１のパチンコ機１ａの箱体９ａと同様に、それぞれ、第二取付手段である係合手段１９，１９が突設されており、各係合手段１９，１９の先端には、それぞれ、矢尻状の係合突起２０が内側に突出するように設けられている。
【００１４】
そして、図５（ｂ），（ｃ）の如く、実施例２の箱体９ｂにおいては、スピーカ８が、枠体２１を支持手段２３，２３・・の壁体２５，２５・・の内部に嵌め込み、枠体２１のコーナー際の裏面を各支持面２４，２４・・に当接させ、枠体２１表面の左右端縁際を各係合手段１９，１９・・に係合させて、支持面２４，２４・・と係合突起２０，２０とによって挟持された状態で、箱体９ｂに取り付けられている。
【００１５】
実施例２のパチンコ機１ｂは、上記の如く、スピーカ８が、枠体２１の面内方向の動きを規制し枠体２１の裏面を押止する支持手段２３，２３・・（第一取付手段）と、弾性により枠体２１の表面と係合脱離自在な係合手段１９，１９（第二取付手段）とによって挟持された状態で取り付けられるため、製造時には、枠体２１を支持手段２３，２３・・の壁体２５，２５・・の内部に嵌め込み、スピーカ８を押し込んで、枠体２１表面の左右端縁際を各係合手段１９，１９・・に係合させるだけで、スピーカ８を簡単に設置することができる。また、スピーカ８が故障した場合等には、係合手段１９，１９の弾性を利用して係合手段１９，１９と枠体２１との係合を解除するだけで、スピーカ８を簡単に取り外すことができる。なお、実施例２のパチンコ機１ｂにおいては、製造時にスピーカ８の枠体２１に位置決め孔等を設ける必要がない。
【００１６】
また、実施例２のパチンコ機１ｂは、各支持手段２３，２３・・が、複数の壁体２５を有しており、それらの壁体２５を、スピーカ８の枠体２１に対して垂直に対峙させることによって、枠体２１の面内方向の動きを規制するものであるため、スピーカ８の取付位置がずれないので、効果音がきわめて良好である。その上、振動による衝撃がスピーカ８に伝わりにくいので、スピーカ８が故障しにくい。
【００１７】
なお、本発明の遊技機の構成は、上記した各実施例の態様に何ら限定されるものではなく、扉部材、供給皿、前面カバー、機能部材等の形状・構造等の構成を、本発明の趣旨を逸脱しない範囲で、必要に応じて適宜変更できる。
【００１８】
たとえば、スピーカの取付位置は、中扉の内部（機能部材の内部）に限定されず、前面の左右の上端際等の他の位置でも良い。一方、支持手段（第一取付手段）の設置個数は、４個に限定されず、３個以下でも良いし、５個以上でも良い。また、係合手段（第二取付手段）の個数も２個に限定されず、３個以上でも良い。さらに、スピーカは、前面に長方形状の枠体を設けたものに限定されず、前面に円形や楕円形の枠体を設けたものでも良い。加えて、スピーカの取付構造は、上記実施形態の如く、スピーカの後面側に位置した支持手段（第一取付手段）と、スピーカの前面側に位置した係合手段（第二取付手段）とによって、スピーカを挟持する構造に限定されず、スピーカの前面側に位置した支持手段（第一取付手段）と、スピーカの後面側に位置した係合手段（第二取付手段）とによって、スピーカを挟持する構造等でも良い。また、上記実施例１においては、スピーカの枠体に位置決め孔を設け支持手段に位置決めピンを設けた取付構造について説明したが、かかる取付構造とは逆に、スピーカの枠体に位置決めピンを設け支持手段に位置決め孔を設けた取付構造を採用することも可能である。さらに、係合手段（第二取付手段）は、合成樹脂によって設けられたものに限定されず、金属によって形成されたものでも良い。なお、本発明の遊技機は、パチンコ機ばかりでなく、スロットマシーン等の他の遊技機でも良い。
【００１９】
【発明の効果】
請求項１に記載された遊技機は、スピーカが、前面に扁平な枠体を有するものであるとともに、そのスピーカが、枠体の面内方向の動きを規制し枠体の第一の面を押止する第一取付手段と、弾性により枠体の第二の面と係合離脱自在な第二取付手段とによって挟持された状態で箱体に取り付けられているため、スピーカの取り付け、取り外しが非常に容易である。
【００２０】
請求項２に記載された遊技機は、第一取付手段が、複数の位置決めピンを有しており、その位置決めピンを、スピーカの枠体に穿設された位置決め孔に挿通させることによって、枠体の面内方向の動きを規制するものであるため、スピーカの取付位置がずれないので、効果音がきわめて良好である。その上、振動による衝撃がスピーカに伝わりにくいので、スピーカが故障しにくい。
【００２１】
請求項３及び４に記載された遊技機は、第一取付手段が、複数の壁体（請求項４では、支持面の二辺から前方へ突出するような断面Ｌ字状の壁体）を有しており、それらの壁体を、スピーカの枠体に対して垂直に対峙させることによって、枠体の面内方向の動きを規制するものであるため、スピーカの取付位置がずれないので、効果音がきわめて良好である。その上、振動による衝撃がスピーカに伝わりにくいので、スピーカが故障しにくい。
【図面の簡単な説明】
【図１】パチンコ機の正面を示す説明図である。
【図２】中扉を分解して示す説明図である。
【図３】スピーカの箱体への取付状態を示す説明図である（なお、（ｃ）は、スピーカ取付位置の鉛直断面を示したものである）。
【図４】支持部材を示す説明図である。
【図５】スピーカの箱体への取付状態を示す説明図である（なお、（ｃ）は、スピーカ取付位置の鉛直断面を示したものである）。
【図６】支持部材を示す説明図である。
【符号の説明】
１ａ，１ｂ・・パチンコ機、２・・供給皿、３・・中扉、４・・扉部材、５・・エプロン部、６・・前面カバー、７・・機能部材、８・・スピーカ、９ａ，９ｂ・・箱体、１０・・スイッチ、１１・・押しボタン、１２・・パネル、１３・・基板、１４・・周壁、１５・・開口部、１６・・支持手段、１７・・支持面、１８・・位置決めピン、１９・・係合手段、２０・・係合突起、２１・・枠体、２２・・位置決め孔、２３・・支持手段、２４・・支持面、２５・・壁体、２６・・鉛直板、２７・・環状突起、２８係合孔、２９・・突起体。
【図１】
0003843726.tif 000002
【図２】
0003843726.tif 000003
【図３】
0003843726.tif 000004
【図４】
0003843726.tif 000005
【図５】
0003843726.tif 000006
【図６】
0003843726.tif 000007